(57)【要約】【課題】身体を屈める姿勢をとることなく簡単にバケツを清掃することができるバケツ用清掃具を提供する【解決手段】柔軟性を有する清掃用部材１０が円板体２０に固着されており、その円板体２０の中央部に棒状の把手３０が取り付けられていることから、円板体２０をバケツの内側に入れて把手３０を回転させることにより、バケツの内側表面の汚れを清掃用部材１０によって容易に落とすことができる。また、たわしやブラシを手で持って清掃する場合のように身体を曲げた窮屈な姿勢にならないため、作業者の負担を大幅に減らすことができる。【選択図】図１
2013192575.tif 000002
【特許請求の範囲】
【請求項１】
清掃対象のバケツの内側表面にこすり付けて当該内側表面の汚れを落とす、柔軟性を有した清掃用部材と、
前記清掃用部材が固着される円板体と、
前記円板体の中央部に一方の端部が固定された棒状の把手と、
を有するバケツ用清掃具。
【請求項２】
前記清掃用部材は、合成樹脂製のメッシュ部材若しくは織物部材を多重に折りたたんで形成されたひだを備え、
前記円板体は、前記ひだが形成された前記清掃用部材の前記メッシュ部材若しくは前記織物部材を縛って固着するための結束バンドを通す複数の孔を有する、
請求項１に記載のバケツ用清掃具。
【請求項３】
前記ひだの縁が、少なくとも前記円板体の側縁部と、前記把手が取り付けられた面と反対側の前記円板体の底面を覆うように、複数の前記メッシュ部材若しくは前記織物部材が前記円板体に固着される、
請求項２に記載のバケツ用清掃具。
【請求項４】
前記把手の他方の端部に形成されたＴ字状のグリップを有する、
請求項１乃至３の何れか一項に記載のバケツ用清掃具。
【請求項５】
前記把手における前記一方の端部の先端に雄ネジが形成され、
前記円板体の中央部に前記雄ネジを貫通する孔が形成され、
前記円板体の前記孔を貫通した前記把手の前記雄ネジと螺合する雌ネジを有する、
請求項１乃至４の何れか一項に記載のバケツ用清掃具。
【請求項６】
前記円板体が透明な材質の板材を円形に加工して形成される、
請求項１乃至５の何れか一向に記載のバケツ用清掃具。
【発明の詳細な説明】
【技術分野】
【０００１】
本発明は、清掃対象物にこすり付けてその表面の汚れを落とす清掃具に係り、特に、バケツの内側表面についた汚れを清掃するのに好適なバケツ用の清掃具に関する。
【背景技術】
【０００２】
一般に花屋においては、生け花や植物の鮮度を保つため、これらを入れるバケツの水を頻繁に交換している。また、バケツの水を交換するにあたり、バケツの内側表面に付着した残留物によって交換後の水が汚れないようにするため、たわしやブラシなどを使ってバケツの内側表面を丁寧に清掃する作業が実施される。
【発明の概要】
【発明が解決しようとする課題】
【０００３】
従来、バケツの清掃はたわしやブラシを使って行われているが、バケツの内側表面をこするには、身体を屈めてバケツの内側に手を入れる窮屈な姿勢をとらなくてはならず、一日に大量のバケツを清掃する作業者にとって非常に大きな負担となっている。
【０００４】
本発明はかかる事情に鑑みてなされたものであり、その目的は、身体を屈める姿勢をとることなく簡単にバケツを清掃することができるバケツ用清掃具を提供することにある。
【課題を解決するための手段】
【０００５】
本発明に係る清掃具は、清掃対象物にこすり付けて当該清掃対象物の表面の汚れを落とす、柔軟性を有した清掃用部材と、前記清掃用部材が固着される円板体と、前記円板体の中央部に一方の端部が固定された棒状の把手とを有する。
【０００６】
好適に、前記清掃用部材は、合成樹脂製の布を多重に折りたたんで形成されたひだを備え、前記円板体は、前記ひだが形成された前記清掃用部材の前記布を縛って固着するための結束バンドを通す複数の孔を有する。
【０００７】
好適に、前記清掃用部材の前記ひだが、少なくとも前記円板体の側縁部と、前記把手が取り付けられた面と反対側の前記円板体の底面を覆うように、複数の前記清掃用部材が前記円板体に固着される。
【０００８】
好適に、前記把手の他方の端部に形成されたＴ字状のグリップを有する。
【０００９】
好適に、前記把手における前記一方の端部の先端に雄ネジが形成され、前記円板体の中央部に前記雄ネジを貫通する孔が形成され、前記円板体の前記孔を貫通した前記把手の前記雄ネジと螺合する雌ネジを有する。
【００１０】
好適に、前記円板体が透明な材質（樹脂材料など）の板材を円形に加工して形成されている。
【発明の効果】
【００１１】
本発明によれば、棒状の把手の先端に取り付けた円板体に清掃用部材が固着されており、その清掃用部材をバケツの内側表面にこすり付けて汚れを落とすことができるため、身体を屈めてバケツの内側に手を入れるような窮屈な姿勢をとることなく簡単にバケツの内側表面の汚れを落とすことができる。
【図面の簡単な説明】
【００１２】
【図１】本発明の実施形態に係るバケツ用清掃具の一例を示す正面図である。
【図２】本発明の実施形態に係るバケツ用清掃具の一例を示す右側面図である。
【図３】本発明の実施形態に係るバケツ用清掃具の一例を示す左側面図である。
【図４】本発明の実施形態に係るバケツ用清掃具の一例を示す背面図である。
【図５】本発明の実施形態に係るバケツ用清掃具の一例を示す平面図である。
【図６】本発明の実施形態に係るバケツ用清掃具の一例を示す底面図である。
【図７】本発明の実施形態に係るバケツ用清掃具において清掃用部材に隠れた先端部分の一例を示す図である。
【図８】円板体の一例を示す図である。
【００１３】
図１〜図６は、本発明の実施形態に係るバケツ用清掃具の外観の一例を示すである。図１は正面図、図２は右側面図、図３は左側面図、図４は背面図、図５は平面図、図６は底面図をそれぞれ示す。
【００１４】
また図７は、図１〜図６に示すバケツ用清掃用具において清掃用部材１０に隠れた先端部分の一例を示す図であり、清掃用部材１０を取り外して先端部分を分解した状態を示す。図８は、バケツ用清掃用具の先端部分を構成する円板体３０の一例を示す図である。
【００１５】
本実施形態に係るバケツ用清掃具は、例えば図１〜図８において示すように、清掃用部材１０と、円板体２０と、棒状の把手３０を有する。清掃用部材１０は、本発明における清掃用部材の一例であり、円板体２０は、本発明における円板体の一例であり、清掃用部材１０は、本発明における清掃用部材の一例である。
【００１６】
清掃用部材１０は、清掃対象のバケツの内側表面にこすりつけて当該内側表面の汚れを落とすための部材であり、適度な柔軟性を有しているため、傷を付けることなくバケツ表面を清掃することができる。清掃用部材１０は、例えば、ナイロン，アクリル，ポリエステル，ポリウレタン，ポリプロピレン，ポリエチレン，塩化ビニールなどの柔軟性および耐水性を有する合成樹脂製のメッシュ部材（網目状の部材）や織物部材（繊維を織って作られた布状の部材）を用いて構成される。清掃用部材１０は、こうしたメッシュ部材や織物部材を多重に折り畳むことによって形成された多数のひだを有する。清掃用部材１０に形成された多数のひだの縁が、草木の葉や花びらのように四方へ広がっており、バケツの内側表面に満遍なく接触するため、清掃用部材１０は汚れを除去し易い構造となっている。
【００１７】
円板体２０は、清掃用部材１０が固着される円形の板状部材であり、例えば透明なアクリル樹脂等の板材を円形に加工して形成される。上述した多数のひだの縁が、円板体２０の側縁部と底面をくまなく覆うように、複数のメッシュ部材や織物部材が円板体２０に固着される。そのため、円板体２０をバケツの内側に挿入した場合、円板体２０の側縁部において広がるひだの縁がバケツの内側斜面と接触し、円板体２０の底面において広がる多数のひだの縁がバケツの底面と接触する。
【００１８】
円板体２０は、例えば図８において示すように、結束バンドを通すための複数の孔２２を有する。図８の例において、複数の孔２２は円板体２０の中心に対して点対称の位置に配置されている。これらの孔２２に結束バンドを通し、上述のように多重に折り畳まれた状態のメッシュ部材や織物部材を円板体２０に縛り付けることによって、メッシュ部材や織物部材が円板体２０に強固に固着される。
【００１９】
把手３０は、その一方の端部が円板体２０に固定される。把手３０の長さは、作業者が身体を屈めることなく、立ったままの姿勢で円板体２０をバケツの内側に挿入して清掃を行える程度の長さを有しており、例えば１ｍ前後の長さを有する。
【００２０】
把手３０の端部には、例えば図７において示すように突縁３２が形成され、その突縁３２より先の部分に雄ネジ３１が形成される。また、円板体２０の中央部には、この雄ネジ３１を貫通する孔２１が形成される。把手３０の雄ネジ３１は、円板体２０の上面側から孔２１に挿入される。孔２１を突き抜けた雄ネジ３１は、円板体２１の底面側において雌ネジ４０と螺合する。雌ネジ４０を雄ネジ３１に締め付けることによって、突縁３２と雌ネジ４０との間に円板２１が挟まれた状態となり、把手３０と円板体２１とが強く連結される。
【００２１】
把手３０の他方の端部には、Ｔ字状のグリップ５０が形成される。このグリップ５０を設けることにより、把手３０に回転を加える操作が容易になるので、バケツの内側で円板体２０を勢いよく回転させながら効率よく清掃を行うことができる。
【００２２】
以上説明したように、本実施形態に係るバケツ用清掃具によれば、柔軟性を有する清掃用部材１０が円板体２０に固着されており、その円板体２０の中央部に棒状の把手３０が取り付けられていることから、バケツの内側に円板体２０を入れて把手３０を回すことにより、バケツの内側表面の汚れを清掃用部材１０によって容易に落とすことができる。また、たわしやブラシを手で持って清掃する場合のように身体を曲げた窮屈な姿勢にならないため、作業者の負担を大幅に減らすことができる。例えば、把手３０を作業者の身長に合った適度な長さ（例えば１ｍ程度）の長さにすれば、作業者は身体を真っ直ぐに伸ばした楽な姿勢のままで、足元に置いたバケツの内側に円板体２０を入れて把手３０を回しながら、円板体２０を覆う清掃用部材１０をバケツの内側にこすり付けるようにすることで、バケツの内側の汚れを簡単に落とすことができる。
【００２３】
また、本実施形態に係るバケツ用清掃具によれば、清掃時においてバケツの中の水に手を浸さなければならないケースを減らすことができるため、特に冬季などにおいて作業者が冷水で手指を濡らすことによる手荒れやしもやけなど防止できる。
【００２４】
また、本実施形態に係るバケツ清掃用具によれば、合成樹脂製のメッシュ部材若しくは織物部材を多重に折りたたんで形成された多数のひだを備えており、バケツの内側表面に多数のひだの縁が当たるため、表面の汚れむらなく落とすことができる。
【００２５】
また、本実施形態に係るバケツ清掃用具によれば、上述した多数のひだの縁が円板体２０の側縁部と底面を覆い隠すように、多重に折り畳まれた複数のメッシュ部材若しくは織物部材が円板体に固着されている。そのため、バケツの内側に円板体２０を入れた場合、清掃用部材１０の多数のひだの縁をバケツの内側の斜面や底面に満遍なくこすり付けることができ、清掃作業の効率を高めることができる。
【００２６】
また、本実施形態に係るバケツ清掃用具によれば、多重に折り畳まれたメッシュ部材若しくは織物部材によって形成される多数のひだの縁が、草葉や花びらのように四方へ広がった形態を有している。そのため、緑や黄色、ピンクなど種々の色のメッシュ部材や織物部材を使用することで、植物の葉や花びらを連想させる優れた美観を醸し出すことができる。これにより、花屋などにおいて使用された場合でも、店内の美観を損なうことがないという利点が得られる。
しかも、本実施形態に係るバケツ清掃用具によれば、円板体２０がアクリル板などの透明な材質の板を円形に加工して形成されているため、清掃用部材１０に形成される多数のひだの内側に隠れた円板体２０を目立たなくすることができ、これにより、上述した美観を向上することができる。
【００２７】
また、本実施形態に係るバケツ清掃用具によれば、把手３０の端部にＴ字状のグリップ５０が設けられており、このグリップ５０を手で持って回すことにより、バケツの内側で円板体２０を容易に回転させることができる。これにより、円板体２０に固着された清掃用部材１０をバケツの内側に効率よくこすり付けることが可能になる。
【００２８】
また、本実施形態に係るバケツ清掃用具によれば、把手３０の先端に形成された雄ネジ３１を円板体２０の孔２１に貫通させて雌ネジ４０と螺合させることにより、把手３０と円板体２０とを連結しているため、雌ネジ４０を緩めるだけで把手３０と円板体２０を容易に分解できる。これにより、清掃用部材１０が消耗した場合には円板体２０ごと新しいものに交換したり、把手３０から取り外された状態の円板体２０において清掃用部材１０を交換したりする作業が容易になる。
【００２９】
なお、本発明は上述した実施形態に限定されるものではなく、様々なバリエーションを含んでいる。
【００３０】
例えば、上述した実施形態では、清掃用部材１０の一例として多重に折り畳まれたメッシュ部材や織物部材を挙げているが、本発明はこれに限定されない。本発明の他の実施形態では、スポンジやブラシ、不織布など、バケツの内側表面にこすり付けることでその汚れを除去し得る他の種々の部材を清掃用部材１０として用いてもよい。
【００３１】
上述した実施形態では、清掃用部材１０を結束バンドによって円板体２０に締め付けて固定する例を挙げているが、本発明はこれに限定されない。本発明の他の実施形態では、清掃用部材２０を接着剤によって円板体２０に接着してもよいし、ビスなどで固定してもよい。
【符号の説明】
【００３２】
１０…清掃用部材、２０…円板体、２１，２２…孔、３０…把手、３１…雄ネジ、３２…突縁、４０…雌ネジ、５０…グリップ。
【図１】
2013192575.tif 000003
【図２】
2013192575.tif 000004
【図３】
2013192575.tif 000005
【図４】
2013192575.tif 000006
【図５】
2013192575.tif 000007
【図６】
2013192575.tif 000008
【図７】
2013192575.tif 000009
【図８】
2013192575.tif 000010